(57)【特許請求の範囲】
【請求項１】
調理物を加熱する複数のバーナを有する加熱調理器と、該加熱調理器との間で無線による情報通信が可能な携帯情報処理端末とを備えて構成される調理システムであって、
前記携帯情報処理端末は、使用者が該携帯情報処理端末を移動させた動作と使用者が該携帯情報処理端末の姿勢を変更させた動作との少なくとも一方を検出して該携帯情報処理端末の動作情報を出力する動作検出部と、該動作検出部が出力した動作情報を無線送信する送信部とを備え、
前記加熱調理器は、前記送信部から送信された前記携帯情報処理端末の動作情報を受信する受信部と、該受信部が受信した前記携帯情報処理端末の動作情報を前記加熱調理器の対応するバーナにおける調理物の加熱に関する運転制御情報に変換する変換部と、変換部によって変換された運転制御情報により該加熱調理器の対応するバーナにおける調理物の加熱に関する運転を制御する運転制御部とを備えることを特徴とする調理システム。
【請求項２】
調理物を加熱する複数のバーナを有する加熱調理器と、該加熱調理器との間で無線による情報通信が可能な携帯情報処理端末とを備えて構成される調理システムであって、
前記携帯情報処理端末は、使用者が該携帯情報処理端末を移動させた動作と使用者が該携帯情報処理端末の姿勢を変更させた動作との少なくとも一方を検出して該携帯情報処理端末の動作情報を出力する動作検出部と、該動作検出部が出力した動作情報を前記加熱調理器の対応するバーナにおける調理物の加熱に関する運転制御情報に変換する変換部と、該変換部によって変換された運転制御情報を無線送信する送信部とを備え、
前記加熱調理器は、前記送信部から送信された運転制御情報を受信する受信部と、該受信部が受信した前記運転制御情報により該加熱調理器の対応するバーナにおける調理物の加熱に関する運転を制御する運転制御部とを備えることを特徴とする調理システム。
【請求項３】
調理物を加熱する複数のバーナを有する加熱調理器と、該加熱調理器との間で無線による情報通信が可能な携帯情報処理端末とを備える調理システムに用いるプログラムであって、
前記携帯情報処理端末の移動と姿勢変更との少なくとも一つの動作に関する情報を取得するステップと、
前記動作に関する情報を、前記加熱調理器の対応するバーナにおける調理物の加熱に関する運転制御情報に変換するステップと、
前記運転制御情報を適用して前記加熱調理器の対応するバーナにおける調理物の加熱に関する運転を制御するステップとを備えることを特徴とする調理システム用プログラム。
【発明の詳細な説明】
【技術分野】
【０００１】
本発明は、調理物を加熱する加熱調理器と、該加熱調理器との間で無線による情報通信が可能な携帯情報処理端末とを備えて構成される調理システムに関する。
【背景技術】
【０００２】
従来、調理物を加熱調理する際に、携帯情報処理端末であるスマートフォンを用いて加熱調理器であるガスコンロを操作することを可能とした調理システムが提案されている。
【０００３】
このものでは、ガスコンロとスマートフォンとをブルートゥース（登録商標）等の無線方式により通信可能とし、スマートフォンの画面（タッチパネル）に表示されたアイコンやボタンをタッチすることにより、コンロバーナの火力調整等の操作が行えるようになっている。
【０００４】
これにより、使用者は、スマートフォンを手元に置いておけば、手元にあるスマートフォンの画面をタッチして、コンロバーナの火力を所望の火力に調節することができ、例えば、コンロバーナの火の状態が視認できてもコンロ本体に備える火力調節摘みに手が届かない場合であっても、使用者は、スマートフォンを介して容易に火力調節を行うことができる。
【先行技術文献】
【特許文献】
【０００５】
【特許文献１】特開２０１４−１６３５３８号公報
【発明の概要】
【発明が解決しようとする課題】
【０００６】
しかし、スマートフォンが使用者の手元に置かれていても、例えば、使用者がコンロ上から降ろした鍋等の操作中で手にミトンを装着していた場合には、ミトンを外してからスマートフォンの画面（タッチパネル）をタッチ操作しなければならず、かえって煩わしい。また、静電容量方式のタッチパネルを採用しているスマートフォンでは、例えば、使用者が食材の水洗い中の濡れている指で画面（タッチパネル）をタッチ操作した場合に誤作動が生じるおそれがある。
【０００７】
上記の点に鑑み、本発明は、使用者による携帯情報処理端末の移動や姿勢の変更に応じて加熱調理器に対する所望の制御を行えるようにした調理システム及び調理システム用プログラムを提供することを目的とする。
【課題を解決するための手段】
【０００８】
かかる目的を達成するために、本発明は、調理物を加熱する複数のバーナを有する加熱調理器と、該加熱調理器との間で無線による情報通信が可能な携帯情報処理端末とを備えて構成される調理システムであって、前記携帯情報処理端末は、使用者が該携帯情報処理端末を移動させた動作と使用者が該携帯情報処理端末の姿勢を変更させた動作との少なくとも一方を検出して該携帯情報処理端末の動作情報を出力する動作検出部と、該動作検出部が出力した動作情報を無線送信する送信部とを備え、前記加熱調理器は、前記送信部から送信された前記携帯情報処理端末の動作情報を受信する受信部と、該受信部が受信した前記携帯情報処理端末の動作情報を前記加熱調理器の対応するバーナにおける調理物の加熱に関する運転制御情報に変換する変換部と、変換部によって変換された運転制御情報により該加熱調理器の対応するバーナにおける調理物の加熱に関する運転を制御する運転制御部とを備えることを特徴とする。
【０００９】
本発明によれば、先ず、使用者が携帯情報処理端末を移動させ、或いは、姿勢を変更すると、この時の携帯情報処理端末の動作が動作検出部によって検出される。次いで、動作検出部により検出された動作情報が動作検出部から出力されると、この時の動作情報が送信部によって無線送信される。携帯情報処理端末から無線送信された動作情報は、加熱調理器の受信部によって受信される。そして、受信部が受信した動作情報は変換部で運転制御情報に変換され、運転制御部により、運転制御情報による加熱調理器の制御が行われる。
【００１０】
携帯情報処理端末に対して付与される動作として、例えば、上下左右の何れかの方向に「振る動作」、縦軸回りや横軸回りに「回す動作」といった移動や姿勢の変更を挙げることができる。動作情報に基づく加熱調理器の制御として、例えば、タイマ時間の増減設定、温度の高低設定、加熱量の大小設定、或いは、設定内容の切り換え等を挙げることができる。
【００１１】
具体的には、使用者が携帯情報処理端末を、例えば右に振ると（右にシェイクすると）、動作検出部はこのときの「右に振る」を示す動作情報を出力する。次いで、送信部は、動作検出部から出力された「右に振る」を示す動作情報を送信し、加熱調理器の受信部は、送信部から送信された「右に振る」を示す動作情報を受信する。加熱調理器の変換部は、「右に振る」を示す動作情報に対応する運転制御情報として、例えば調理物に対する加熱温度を増大させる指示情報に変換し、これを運転制御部に送る。こうして、運転制御部は調理物に対する加熱温度を増大させる制御を行う。
【００１２】
これにより、上記の具体的な例の場合、携帯情報処理端末を右に振るだけで、加熱調理器の加熱温度が大きくなる。そして、複数の携帯情報処理端末の動作を、夫々、加熱調理器の制御情報に割り当てることにより、使用者は携帯情報処理端末に所定の動きを付与するだけで、指で画面（タッチパネル）をタッチ操作することなく加熱調理器の各種操作が行える。
【００１３】
このように、本発明によれば、使用者による携帯情報処理端末の移動や姿勢の変更に応じて加熱調理器に対する所望の制御を行うことができる。
【００１４】
また、本発明は、調理物を加熱する複数のバーナを有する加熱調理器と、該加熱調理器との間で無線による情報通信が可能な携帯情報処理端末とを備えて構成される調理システムであって、前記携帯情報処理端末は、使用者が該携帯情報処理端末を移動させた動作と使用者が該携帯情報処理端末の姿勢を変更させた動作との少なくとも一方を検出して該携帯情報処理端末の動作情報を出力する動作検出部と、該動作検出部が出力した動作情報を前記加熱調理器の対応するバーナにおける調理物の加熱に関する運転制御情報に変換する変換部と、該変換部によって変換された運転制御情報を無線送信する送信部とを備え、前記加熱調理器は、前記送信部から送信された運転制御情報を受信する受信部と、該受信部が受信した前記運転制御情報により該加熱調理器の対応するバーナにおける調理物の加熱に関する運転を制御する運転制御部とを備えることを特徴とする。
【００１５】
本発明によれば、先ず、使用者が携帯情報処理端末を移動させ、或いは、姿勢を変更すると、この時の携帯情報処理端末の動作が動作検出部によって検出される。次いで、動作検出部により検出された動作情報が動作検出部から出力されると、出力された動作情報が変換部により加熱調理器の運転制御情報に変換される。続いて、変換部による運転制御情報が送信部によって無線送信される。携帯情報処理端末から無線送信された運転制御情報は、加熱調理器の受信部によって受信され、加熱調理器の運転制御部により、運転制御情報に基づく加熱調理器の制御が行われる。このように、携帯情報処理端末から送信される情報は、加熱調理器の運転制御部が認識できる運転制御情報であるため、加熱調理器における情報処理を簡略化することができる。
【００１６】
具体的に説明すると、使用者が携帯情報処理端末を、例えば右に振ると（右にシェイクすると）、動作検出部はこのときの「右に振る」を示す動作情報を出力する。次いで、変換部は、「右に振る」を示す動作情報を、加熱調理器の運転制御部が認識できるように、例えば調理物に対する加熱温度を増大させる運転制御情報に変換する。そして、送信部は、加熱温度を増大させる運転制御情報を送信し、加熱調理器の受信部は、送信部から送信された加熱温度を増大させる運転制御情報を受信する。加熱調理器の運転制御部は、加熱温度を増大させる運転制御情報により、加熱温度を増大させる制御を実行する。これにより、携帯情報処理端末を例えば右に振るだけで、例えば加熱調理器の加熱温度が大きくなる。
【００１７】
このように、本発明によれば、使用者による携帯情報処理端末の移動や姿勢の変更に応じて加熱調理器に対する所望の制御を行うことができる。
【００１８】
また、本発明は、調理物を加熱する複数のバーナを有する加熱調理器と、該加熱調理器との間で無線による情報通信が可能な携帯情報処理端末とを備える調理システムに用いるプログラムであって、前記携帯情報処理端末の移動と姿勢変更との少なくとも一つの動作に関する情報を取得するステップと、前記動作に関する情報を、前記加熱調理器の対応するバーナにおける調理物の加熱に関する運転制御情報に変換するステップと、前記運転制御情報を適用して前記加熱調理器の対応するバーナにおける調理物の加熱に関する運転を制御するステップとを備えることを特徴とする。
【００１９】
このように構成したプラグラムにより、携帯情報処理端末の移動や姿勢変更の動作を加熱調理器の運転制御情報に変換して加熱調理器の運転を制御するので、使用者が携帯情報処理端末に対して移動や姿勢変更の動作を付与するだけで、その動作に対応する加熱調理器の操作を行うことができる。
【図面の簡単な説明】
【００２０】
【図１】本発明の一実施形態の調理システムを構成するガスコンロとスマートフォンを示す図。
【図２】本実施形態の調理システムの機能的構成を示すブロック図。
【図３】図３Ａはスマートフォンの作動を示すフローチャート、図３Ｂはガスコンロのコントローラの作動を示すフローチャート。
【図４】スマートフォンの動かし方を示す説明図。
【図５】ガスコンロの設定操作スイッチ部を示す図。
【発明を実施するための形態】
【００２１】
本発明の一実施形態を図面に基づいて説明する。本実施形態の調理システムは、図１に示すように、ガスコンロ１と、スマートフォン２とで構成される。ガスコンロ１は、グリル３が収容されたコンロ本体４と、コンロ本体４の上部に設けた天板５上に露出する３つのコンロバーナ（左コンロバーナ６、後コンロバーナ７、右コンロバーナ８）とを備えている。
【００２２】
コンロ本体４には、グリル３及びコンロバーナ６，７，８を各別に操作する操作ボタン９，１０，１１，１２と、開閉蓋１３を閉じると非露出状態となる設定操作スイッチ部２６（図５参照）と、マイコン等の電子回路からなるコントローラ１４（図２参照）とが設けられている。
【００２３】
ガスコンロ１とスマートフォン２とは、例えばブルートゥース（登録商標）或いはＷｉＦｉ等の情報伝達可能な無線通信方式を用いて接続される。
【００２４】
スマートフォン２は、図２に示すように、加速度センサ１５とジャイロセンサ１６とを備えている。加速度センサ１５とジャイロセンサ１６とは、スマートフォン２が移動したときの動きやスマートフォン２の姿勢が変更されたときの動きを検出する。
【００２５】
更に、スマートフォン２は、加速度センサ１５やジャイロセンサ１６により検出されたスマートフォン２の動作を採取して、このときの動作情報を出力する動作検出部１７と、動作検出部１７が出力した動作情報を、上記の無線通信方式を用いてガスコンロ１に送信する送信部１８とを備えている。
【００２６】
ガスコンロ１のコントローラ１４は、図２に示すように、受信部１９と、変換部２０と、運転制御部２１とを備えている。受信部１９は、スマートフォン２の送信部１８から送信されたスマートフォン２の動作情報を受信する。変換部２０は、受信部１９が受信したスマートフォン２の動作情報を、運転制御情報に変換する。運転制御部２１は、運転制御情報に基づき、グリル３及びコンロバーナ６，７，８の燃焼量（火力レベル）、火力表示、温調の設定温度の表示等を制御する。グリル３及びコンロバーナ６，７，８の燃焼（火力レベル）は、夫々、バルブ用モータ２２，２３，２４，２５の駆動により調整される。運転制御部２１は、バルブ用モータ２２，２３，２４，２５を駆動することによりグリル３及びコンロバーナ６，７，８の燃焼（火力レベル）を制御する。
【００２７】
なお、動作検出部１７はスマートフォン２に組み込まれたプログラムの命令による作動し、変換部２０及び運転制御部２１はガスコンロ１のコントローラ１４に組み込まれたプログラムの命令により作動する。
【００２８】
以上の構成による調理システムの作動を図３Ａ及び図３Ｂのフローチャートを参照して説明する。
【００２９】
スマートフォン２とガスコンロ１との無線通信が確立し、両者が無線による接続状態となると、図３Ａに示すように、スマートフォン２は動作検出部１７による動作取得を開始し、ＳＴＥＰ１−１によりスマートフォン２の移動や姿勢変化等の動きが検出された場合にＳＴＥＰ１−２へ進む。スマートフォン２は、ＳＴＥＰ１−２へ進むと、動作検出部１７から出力された動作情報を送信部１８を介して送信する。
【００３０】
その後ＳＴＥＰ１−３へ進んでスマートフォン２とガスコンロ１とが無線による接続状態にあればＳＴＥＰ１−１に戻り、接続が解除されるとスマートフォン２は動作検出部１７による動作取得を終了する。
【００３１】
スマートフォン２とガスコンロ１とが無線による接続状態となると、図３Ｂに示すように、ガスコンロ１のコントローラ１４は、ＳＴＥＰ２−１によりスマートフォン２から送信された動作情報を受信部１９が受信したか否かを判断し、動作情報を受信した場合にＳＴＥＰ２−２へ進む。ガスコンロ１のコントローラ１４は、ＳＴＥＰ２−２へ進むと、変換部２０によって動作情報をガスコンロ１の運転制御情報に変換する。
【００３２】
続いて、ガスコンロ１のコントローラ１４は、ＳＴＥＰ２−３へ進んで、運転制御部２１により運転制御情報を用いた運転制御を実行する。その後ＳＴＥＰ２−４へ進んで、ガスコンロ１がスマートフォン２と無線接続している状態であればＳＴＥＰ２−１に戻り、接続が解除されたとき、ガスコンロ１のコントローラ１４は動作情報の受信を終了する。
【００３３】
本実施形態の調理システムは以上のように構成したことにより、使用者がスマートフォン２を上下左右の何れかの方向に移動させる、振る、回転させるといった動きを付与することで、その時のスマートフォン２の動きに対応して、ガスコンロ１の各種の操作を行うことができる。
【００３４】
なお、変換部２０は、ガスコンロ１のコントローラ１４側に設けず、スマートフォン２に設けてもよい。この場合、スマートフォン２から送信されるのは、スマートフォン２の動作情報でなくガスコンロ１の運転制御情報となる。これにより、ガスコンロ１のコントローラ１４においては、スマートフォン２の動作情報からガスコンロ１の運転制御情報への変換が不要となる。
【００３５】
ここで、本実施形態の調理システムで実現可能となる、スマートフォン２を用いたガスコンロ１の操作方法を具体的な例を挙げて詳説する。なお、ガスコンロ１の操作として、グリル３及びコンロバーナ６，７，８の火力調整（火力レベルの変更）、タイマー時間の設定・変更、及び温調制御の温度の設定・変更について説明する。
【００３６】
グリル３及びコンロバーナ６，７，８の火力調整（火力レベルの変更）は、ガスコンロ１の各操作ボタン９，１０，１１，１２を操作することに行われる。これと同様の操作をスマートフォン２を用いて行う場合には、先ず、現在使用しているバーナを選択する。
【００３７】
このとき、図４Ａに示すように、スマートフォン２を、直立させた状態を維持して（回転や傾きを与えないで）右又は左に向かって素早く水平移動させる。使用者がスマートフォン２を水平移動させる１回の動作ごとに、選択するバーナが、グリル３、左コンロバーナ６、後コンロバーナ７、右コンロバーナ８と変更される。
【００３８】
何れのバーナが選択されたかは、スマートフォン２の画面に選択したバーナを表示させる、或いは、ガスコンロ１の各操作ボタン９，１０，１１，１２の近傍に設けられている図示しないランプを点灯させる等により確認することが可能となる。
【００３９】
そして例えば、使用中（燃焼中）のバーナが右コンロバーナ８である時には、使用者は、右コンロバーナ８が選択されるまでスマートフォン２を素早く水平移動させる動作を繰り返す。
【００４０】
次いで、図４Ｂに示すように、右コンロバーナ８が選択された状態で、使用者がスマートフォン２をゆっくり傾けると、右方向（時計回り方向）にスマートフォン２の傾き角度が増加するのに応じて右コンロバーナ８の火力レベルが徐々に大きく（強火側に）変更され、左方向（反時計回り方向）に傾き角度が増加するのに応じて右コンロバーナ８の火力レベルが徐々に小さく（弱火側に）変更される。
【００４１】
このように、使用者は、スマートフォン２を素早く水平移動させて所望するバーナを選択し、スマートフォン２をゆっくり傾けることにより、画面（タッチパネル）に触れることなく所望のバーナの火力調整を行うことができる。
【００４２】
次に、ガスコンロ１のタイマ時間の設定・変更について説明する。タイマ時間の設定・変更は、通常であれば、図５に示すように、ガスコンロ１に設けられた設定操作スイッチ部２６が備える「＋」スイッチ２７と「−」スイッチ２８との押圧操作により行われる。
【００４３】
この操作をスマートフォン２を用いて行う場合には、図４Ｃに示すように、使用者がスマートフォン２を直立状態で画面を素早く横に向けるように動かす（ｙ軸回りに素早く回転させる）ことにより、ガスコンロ１はタイマ設定・変更モードになる。
【００４４】
ガスコンロ１がタイマ設定・変更モードになったか否かは、スマートフォン２の画面にタイマ設定・変更モードが有効となった旨の表示を行う、或いは、ガスコンロ１の図５に示した表示部２９の数値表示や単位表示を点滅させる等により確認することが可能となる。
【００４５】
そして、タイマ設定・変更モードになった状態で、例えば、図４Ｄに示すように、使用者がスマートフォン２を右に振る（右側に素早く倒すように動かす）ことによりタイマ時間が１分ずつ延長され、使用者がスマートフォン２を左に振る（左側に素早く倒すように動かす）ことによりタイマ時間が１分ずつ短縮される。そして、スマートフォン２を動かさないで３秒経過すれば設定されたタイマ時間で確定される。
【００４６】
また、スマートフォン２を用いて温調のための温度設定・変更を行う場合には、図４Ｃに示すように、使用者がスマートフォン２を直立状態から画面を素早く上に向けるように動かす（ｘ軸回りに素早く回転させる）ことにより、ガスコンロ１は温度設定・変更モードになる。
【００４７】
ガスコンロ１が温度設定・変更モードになったか否かは、スマートフォン２の画面に温度設定・変更モードが有効となった旨の表示を行う、或いは、ガスコンロ１の図５に示す表示部２９の数値や単位表示を点滅させる等により確認することが可能となる。
【００４８】
そして、温度設定・変更モードになった状態で、例えば、図４Ｅに示すように、使用者がスマートフォン２を上に振る（上方に素早く動かす）ことにより設定温度が１０℃ずつ増加し（高くなり）、使用者がスマートフォン２を下に振る（下方に素早く動かす）ことにより設定温度が１０℃ずつ減少する（低くなる）。そして、スマートフォン２を動かさないで３秒経過すれば設定された温度で確定される。設定された温度は、スマートフォン２の画面に表示する、或いは、ガスコンロ１の図５に示す表示部２９に点滅を停止させた点灯表示とすることにより確認することができる。
【００４９】
なお、以上の操作は一例を示したものであり、スマートフォン２の動きと、その動きに連動するガスコンロ１の操作内容との対応付けは、これに限るものではない。
【００５０】
また、本実施形態においては、携帯情報処理端末としてスマートフォン２を採用したがこれに限るものではない。他に採用可能な携帯情報処理端末としては、タブレット型端末等を挙げることができる。
【符号の説明】
【００５１】
１…ガスコンロ（加熱調理器）、２…スマートフォン（携帯情報処理端末）、１７…動作検出部、１８…送信部、１９…受信部、２０…変換部、２１…運転制御部。
【図１】
0006706104.tif 000002
【図２】
0006706104.tif 000003
【図３】
0006706104.tif 000004
【図４】
0006706104.tif 000005
【図５】
0006706104.tif 000006